(57)【要約】【課題】縦横位置の切り換えや、アスペクト比を切り換えた場合に、撮影シーケンスの短縮を可能とした撮像装置および撮像装置の制御方法を提供する。【解決手段】被写体像を画像データとして出力する撮像素子２２１と、撮像素子２２１の画像データ出力領域の縦横やアスペクト比を制御する撮像領域制御部と、被写体からの光線を撮像素子２２１へ導き又はファインダへ導くように可動ミラー２０１を駆動するミラー駆動機構２３９と、被写体からの光線を撮像素子２２１へ露光状態にしたり遮光状態にするようにシャッタ２１３を駆動するシャッタ駆動機構２３７を備え、画像データ出力領域と可動ミラー２０１の状態とに応じて、シャッタ駆動機構２３７の駆動タイミングを制御し、また、画像データ出力領域とシャッタ２１３の状態とに応じて、ミラー駆動機構２３９の駆動タイミングを制御する。【選択図】  図５
2010177989.tif 000002
【特許請求の範囲】
【請求項１】
被写体像を画像データとして出力する撮像部と、
上記撮像部の画像データ出力領域の縦横及び／又はアスペクト比を制御する撮像領域制御部と、
被写体からの光線を上記撮像部へ導く、又はファインダへ導くように可動ミラーを制御するミラー制御部と、
上記被写体からの光線を上記撮像部へ露光状態にする、又は遮光状態にするようにシャッタを制御するシャッタ制御部と、
上記画像データ出力領域と上記可動ミラーの状態とに応じて、上記シャッタ制御部の駆動タイミングを制御するシャッタ駆動制御部と、
上記画像データ出力領域と上記シャッタの状態とに応じて、上記ミラー制御部の駆動タイミングを制御するミラー駆動制御部と、
を有することを特徴とする撮像装置。
【請求項２】
上記シャッタ駆動制御部は、上記可動ミラーが、上記被写体からの光線を上記ファインダへ導く状態から上記撮像部へ導く状態へ移動する際、上記画像データ出力領域への光線を上記可動ミラーが遮らない位置にいる時点で、上記シャッタ制御部の駆動を開始することを特徴とする請求項１に記載の撮像装置。
【請求項３】
上記ミラー駆動制御部は、上記シャッタが、上記被写体からの光線を露光状態から遮光状態へ駆動する際、上記画像データ出力領域への光線を上記シャッタが遮光し終わる位置にいる時点で、上記ミラー制御部の駆動を開始することを特徴とする請求項１または請求項２に記載の撮像装置。
【請求項４】
上記シャッタ駆動制御部は、上記可動ミラーが、上記被写体からの光線を上記ファインダへ導く状態から上記撮像部へ導く状態へ移動する際、上記画像データ出力領域への光線を上記可動ミラーが遮らない位置にいる時点で、上記画像データ出力領域への光線を上記シャッタ露光し始めるように、上記シャッタ制御部の駆動タイミングを制御することを特徴とする請求項１に記載の撮像装置。
【請求項５】
上記ミラー駆動制御部は、上記シャッタが、上記被写体からの光線を露光状態から遮光状態へ駆動する際、上記画像データ出力領域への光線を上記シャッタが遮光し終わる位置にいる時点で、上記画像データ出力領域への光線を上記可動ミラーが遮り始めるように、上記ミラー制御部の駆動タイミングを制御することを特徴とする請求項１又は請求項４に記載の撮像装置。
【請求項６】
上記シャッタはフォーカルプレーンシャッタであり、上記可動ミラーと上記シャッタは共に撮像装置に対して上下に駆動する、又は、
上記シャッタはフォーカルプレーンシャッタであり、上記可動ミラーと上記シャッタは共に撮像装置に対して左右に駆動する、
ことを特徴とする請求項１乃至請求項５に記載の撮像装置。
【請求項７】
上記シャッタはレンズシャッタであることを特徴とする請求項１乃至請求項５に記載の撮像装置。
【請求項８】
被写体像を画像データとして出力する撮像部と、
上記撮像部の画像データ出力領域の縦横及び／又はアスペクト比を制御する撮像領域制御部と、
被写体からの光線を上記撮像部へ導く、又はファインダへ導くように可動ミラーを制御するミラー制御部と、
上記被写体からの光線を上記撮像部へ露光状態にする、又は遮光状態にするようにシャッタを制御するシャッタ制御部と、
上記画像データ出力領域と上記可動ミラーの状態とに応じて、上記シャッタ制御部の駆動タイミングを制御するシャッタ駆動制御部と、
を有することを特徴とする撮像装置。
【請求項９】
被写体像を画像データとして出力する撮像部と、
上記撮像部の画像データ出力領域の縦横及び／又はアスペクト比を制御する撮像領域制御部と、
被写体からの光線を上記撮像部へ導く、又はファインダへ導くように可動ミラーを制御するミラー制御部と、
上記被写体からの光線を上記撮像部へ露光状態にする、又は遮光状態にするようにシャッタを制御するシャッタ制御部と、
上記画像データ出力領域と上記シャッタの状態とに応じて、上記ミラー制御部の駆動タイミングを制御するミラー駆動制御部と、
を有することを特徴とする撮像装置。
【請求項１０】
被写体像を画像データとして出力し、
上記画像データ出力領域の縦横及び／又はアスペクト比を制御し、
被写体からの光線を撮像部へ導く、又はファインダへ導くように可動ミラーを制御し、
上記被写体からの光線を上記撮像部へ露光状態にする、又は遮光状態にするにあたって、上記画像データ出力領域と上記可動ミラーの状態に応じて、シャッタの駆動タイミングを制御する、
ことを特徴とする撮像装置の制御方法。
【請求項１１】
被写体像を画像データとして出力し、
上記画像データ出力領域の縦横及び／又はアスペクト比を制御し、
上記被写体からの光線を撮像部へ露光状態にする、又は遮光状態にするようにシャッタを制御し、
被写体からの光線を上記撮像部へ導く、又はファインダへ導くように可動ミラーを制御するにあたって、上記画像データ出力領域と上記シャッタの状態とに応じて、上記可動ミラーの駆動タイミングを制御する、
ことを特徴とする撮像装置の制御方法。
【発明の詳細な説明】
【技術分野】
【０００１】
本発明は、撮像装置および撮像装置の制御方法に関し、詳しくは、異なる縦横またはアスペクト比に画像を変更可能な撮像装置および撮像装置の制御方法に関する。
【背景技術】
【０００２】
近年、デジタルカメラ等の撮像装置で撮影した画像は、従来のプリントのみならず、テレビ、横長テレビ、パソコン等、種々のアスペクト比（縦横比とも言う）を持つ再生機器で再生されおり、これらの縦横やアスペクト比に応じた撮影が望ましい。また、撮影するにあたっても、被写体の構図により、アスペクト比を変更したい場合もある。
【０００３】
そこで、縦横やアスペクト比を変更可能とした撮像装置が提案されている。例えば、特許文献１には、画像信号を出力するさい、画像信号のアスペクト比に応じてサンプリングクロックが変化することを防止するようにした撮像装置が開示されている。この撮像装置では、アスペクト比が４：３であっても、１６：９であっても、サンプリングクロックを一定としている。
【先行技術文献】
【特許文献】
【０００４】
【特許文献１】特開平１１−１９６３１４号公報
【発明の概要】
【発明が解決しようとする課題】
【０００５】
このように、サンプリングクロックを一定にする技術は提案されているが、縦横やアスペクト比の変更に伴って機械的シャッタや可動ミラー等の機構部における駆動の効率化を図り、撮影シーケンスを短縮することについては、何ら考慮されていない。
【０００６】
本発明は、このような事情を鑑みてなされたものであり、縦横位置の切り換えや、アスペクト比を切り換えた場合に、撮影シーケンスの短縮を可能とした撮像装置および撮像装置の制御方法を提供することを目的とする。
【課題を解決するための手段】
【０００７】
上記目的を達成するため第１の発明に係わる撮像装置は、被写体像を画像データとして出力する撮像部と、上記撮像部の画像データ出力領域の縦横及び／又はアスペクト比を制御する撮像領域制御部と、被写体からの光線を上記撮像部へ導く、又はファインダへ導くように可動ミラーを制御するミラー制御部と、上記被写体からの光線を上記撮像部へ露光状態にする、又は遮光状態にするようにシャッタを制御するシャッタ制御部と、上記画像データ出力領域と上記可動ミラーの状態とに応じて、上記シャッタ制御部の駆動タイミングを制御するシャッタ駆動制御部と、上記画像データ出力領域と上記シャッタの状態とに応じて、上記ミラー制御部の駆動タイミングを制御するミラー駆動制御部と、を有する。
【０００８】
第２の発明に係わる撮像装置は、上記第１の発明において、上記シャッタ駆動制御部は、上記可動ミラーが、上記被写体からの光線を上記ファインダへ導く状態から上記撮像部へ導く状態へ移動する際、上記画像データ出力領域への光線を上記可動ミラーが遮らない位置にいる時点で、上記シャッタ制御部の駆動を開始する。
【０００９】
第３の発明に係わる撮像装置は、上記第１または第２の発明において、上記ミラー駆動制御部は、上記シャッタが、上記被写体からの光線を露光状態から遮光状態へ駆動する際、上記画像データ出力領域への光線を上記シャッタが遮光し終わる位置にいる時点で、上記ミラー制御部の駆動を開始する。
【００１０】
第４の発明に係わる撮像装置は、上記第１の発明において、上記シャッタ駆動制御部は、上記可動ミラーが、上記被写体からの光線を上記ファインダへ導く状態から上記撮像部へ導く状態へ移動する際、上記画像データ出力領域への光線を上記可動ミラーが遮らない位置にいる時点で、上記画像データ出力領域への光線を上記シャッタ露光し始めるように、上記シャッタ制御部の駆動タイミングを制御する。
【００１１】
第５の発明に係わる撮像装置は、上記第１又は第４の発明において、上記ミラー駆動制御部は、上記シャッタが、上記被写体からの光線を露光状態から遮光状態へ駆動する際、上記画像データ出力領域への光線を上記シャッタが遮光し終わる位置にいる時点で、上記画像データ出力領域への光線を上記可動ミラーが遮り始めるように、上記ミラー制御部の駆動タイミングを制御する。
【００１２】
第６の発明に係わる撮像装置は、上記第１乃至第５の発明において、上記シャッタはフォーカルプレーンシャッタであり、上記可動ミラーと上記シャッタは共に撮像装置に対して上下に駆動する、又は、上記シャッタはフォーカルプレーンシャッタであり、上記可動ミラーと上記シャッタは共に撮像装置に対して左右に駆動する。
第７の発明に係わる撮像装置は、上記第１乃至第５の発明において、上記シャッタはレンズシャッタである。
【００１３】
第８の発明に係わる撮像装置は、被写体像を画像データとして出力する撮像部と、上記撮像部の画像データ出力領域の縦横及び／又はアスペクト比を制御する撮像領域制御部と、被写体からの光線を上記撮像部へ導く、又はファインダへ導くように可動ミラーを制御するミラー制御部と、上記被写体からの光線を上記撮像部へ露光状態にする、又は遮光状態にするようにシャッタを制御するシャッタ制御部と、上記画像データ出力領域と上記可動ミラーの状態とに応じて、上記シャッタ制御部の駆動タイミングを制御するシャッタ駆動制御部と、を有する。
【００１４】
第９の発明に係わる撮像装置は、被写体像を画像データとして出力する撮像部と、上記撮像部の画像データ出力領域の縦横及び／又はアスペクト比を制御する撮像領域制御部と、被写体からの光線を上記撮像部へ導く、又はファインダへ導くように可動ミラーを制御するミラー制御部と、上記被写体からの光線を上記撮像部へ露光状態にする、又は遮光状態にするようにシャッタを制御するシャッタ制御部と、上記画像データ出力領域と上記シャッタの状態とに応じて、上記ミラー制御部の駆動タイミングを制御するミラー駆動制御部と、を有する。
【００１５】
第１０の発明に係わる撮像装置の制御方法は、被写体像を画像データとして出力し、上記画像データ出力領域の縦横及び／又はアスペクト比を制御し、被写体からの光線を撮像部へ導く、又はファインダへ導くように可動ミラーを制御し、上記被写体からの光線を上記撮像部へ露光状態にする、又は遮光状態にするにあたって、上記画像データ出力領域と上記可動ミラーの状態に応じて、シャッタの駆動タイミングを制御する。
【００１６】
第１１の発明に係わる撮像装置の制御方法は、被写体像を画像データとして出力し、上記画像データ出力領域の縦横及び／又はアスペクト比を制御し、上記被写体からの光線を撮像部へ露光状態にする、又は遮光状態にするようにシャッタを制御し、被写体からの光線を上記撮像部へ導く、又はファインダへ導くように可動ミラーを制御するにあたって、上記画像データ出力領域と上記シャッタの状態とに応じて、上記可動ミラーの駆動タイミングを制御する。
【発明の効果】
【００１７】
本発明によれば、縦横位置の切り換えや、アスペクト比を切り換えた場合においても、撮影シーケンスの短縮を可能とした撮像装置および撮像装置の制御方法を提供することができる。
【図面の簡単な説明】
【００１８】
【図１】本発明の第１実施形態に係わるデジタルカメラにおいて電気回路を示すブロック図である。
【図２】本発明の第１実施形態に係わるデジタルカメラにおいて撮像素子のイメージサークルと縦横位置およびアスペクト比を示す図である。
【図３】本発明の第１実施形態におけるデジタルカメラにおいて、パワーオンリセットの動作を示すフローチャートである。
【図４】本発明の第１実施形態におけるデジタルカメラにおいて、撮影動作を示すフローチャートである。
【図５】本発明の第１実施形態におけるデジタルカメラにおいて、撮影動作時のタイミングチャートである。
【図６】本発明の第１実施形態におけるデジタルカメラにおいて、可動ミラーとシャッタの要部断面図である。
【図７】本発明の第２実施形態におけるデジタルカメラにおいて、撮影動作を示すフローチャートである。
【図８】本発明の第２実施形態におけるデジタルカメラにおいて、撮影動作時のタイミングチャートである。
【図９】本発明の第３実施形態におけるデジタルカメラにおいて、撮影動作を示すフローチャートである。
【図１０】本発明の第３実施形態におけるデジタルカメラにおいて、撮影動作時のタイミングチャートである。
【図１１】本発明の第３実施形態におけるデジタルカメラにおいて、可動ミラーとシャッタの要部断面図である。
【図１２】本発明の第４実施形態におけるデジタルカメラにおいて、撮影動作を示すフローチャートである。
【図１３】本発明の第４実施形態におけるデジタルカメラにおいて、撮影動作時のタイミングチャートである。
【図１４】本発明の第４実施形態におけるデジタルカメラにおいて、可動ミラーとシャッタの要部断面図である。
【図１５】本発明を適用しないデジタルカメラとの比較例における、撮影動作を示すフローチャートである。
【図１６】本発明を適用しないデジタルカメラとの比較例における、撮影動作時のタイミングチャートである。
【発明を実施するための形態】
【００１９】
以下、図面に従って本発明を適用したデジタルカメラを用いて好ましい実施形態について説明する。図１は、本発明の第１実施形態に係わるデジタル一眼レフレックスカメラの電気回路を示すブロック図である。このデジタル一眼レフカメラは、交換レンズ１００とカメラ本体２００とから構成される。本実施形態では、交換レンズ１００とカメラ本体２００は別体で構成され、通信接点３４１にて電気的に接続されているが、交換レンズ１００とカメラ本体２００を一体に構成することも可能である。
【００２０】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。光学系駆動機構１０７によって駆動された撮影光学系１０１の焦点位置（ピント位置）は、ピント位置検出機構１０５によって、また撮影光学系１０１の焦点距離は、ズーム位置検出機構１０６によって、それぞれ検出される。
【００２１】
光学系駆動機構１０７、絞り駆動機構１０９、ピント位置検出機構１０５、およびズーム位置検出機構１０６は、それぞれレンズＣＰＵ１１１に接続されており、このレンズＣＰＵ１１１は通信接点３４１を介してカメラ本体２００に接続されている。
【００２２】
また、レンズＣＰＵ１１１には、レンズＲＯＭ１１３とレンズＲＡＭ１１５が接続されている。レンズＲＯＭ１１３は、電気的に書き換え可能な不揮発性メモリであり、レンズＣＰＵ１１１を実行させるためのプログラムや、交換レンズ１００の固有情報等が記憶されている。レンズＲＡＭ１１５は、電気的に書き換え可能な揮発性メモリであり、上述のプログラムの実行に当たって使用される一時的な記憶領域である。
【００２３】
レンズＣＰＵ１１１は交換レンズ１００内の制御を行うものであり、光学系駆動機構１０７を制御してピント合わせや、ズーム駆動を行うとともに、絞り駆動機構１０９を制御して絞り値制御を行う。また、レンズＣＰＵ１１１は、ピント位置検出機構１０５やズーム位置検出機構１０６によって検出された焦点距離や焦点位置情報をカメラ本体２００に送信する。
【００２４】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。
【００２５】
この可動ミラー２０１の上方には、被写体像を結像するためのフォーカシングスクリーン２０４が配置され、このフォーカシングスクリーン２０４の上方には、全面液晶板（以下、全面ＬＣＤと称す）２０５が配置されている。この全面ＬＣＤ２０５は、部分的に透過と遮光を制御可能であり、フォーカシングスクリーン２０４上に結像した被写体像の内の任意に部分について、被写体像をファインダ光学系に導くことができる。
【００２６】
全面ＬＣＤ２０５の上方には、被写体像を左右反転させるためのペンタプリズム２０７が配置されている。ペンタプリズム２０７の前面側の反射面に沿って、ファインダ内表示装置２０６が配置されている。このファインダ内表示装置２０６は、液晶表示装置等から構成され、後述するように、光学ファインダ像に対して、視野表示や撮影情報等を重畳させて表示する。このファインダ内表示装置２０６は、ファインダ内表示駆動回路２９５に接続されており、これによって駆動制御される。
【００２７】
ペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は、測光処理回路２１２に接続され、測光センサ２１１の出力は、この測光処理回路２１２によって増幅処理やアナログ−デジタル変換等の処理がなされる。
【００２８】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図１において破線位置）、ハーフミラー部を覆う位置に回動し、可動ミラー２０１が被写体像観察位置（下降位置）にあるときには、図示する如く可動ミラー２０１に対して開いた位置にある。
【００２９】
この可動ミラー２０１はミラー駆動機構２３９によって駆動されている。可動ミラー２０１の位置はミラー位置検出センサ２４０によって検知される。可動ミラー２０１の位置については、図６を用いて後述する。また、サブミラー２０３の下方には位相差ＡＦセンサ２４１が配置されており、この位相差ＡＦセンサ２４１の出力は位相差ＡＦ処理回路２４３に接続されている。位相差ＡＦセンサ２４１は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。また、位相差ＡＦセンサ２４１は、撮影画面内の複数ポイントについて、それぞれ焦点検出可能である。
【００３０】
可動ミラー２０１の後方には、露光時間制御用のシャッタ２１３が配置されており、このシャッタ２１３はフォーカルプレーンタイプであり、シャッタ先幕２１３ａとシャッタ後幕２１３ｂを有し、シャッタ駆動機構２３７によって駆動制御される。シャッタ先幕２１３ａとシャッタ後幕２１３ｂのシャッタ幕の位置は、それぞれシャッタ幕位置検出センサ２３６によって検知される。
【００３１】
シャッタ２１３の後方には撮像素子２２１が配置されており、撮影光学系１０１によって結像される被写体像を電気信号に光電変換する。なお、撮像素子２２１としてはＣＣＤ（Charge Coupled Devices）またはＣＭＯＳ（Complementary Metal Oxide Semiconductor）等の二次元固体撮像素子を使用できることは言うまでもない。
【００３２】
撮像素子２２１は撮像素子駆動回路２２３に接続され、この撮像素子駆動回路２２３によって、撮像素子２２１から画像信号の読出し等が行われる。撮像素子駆動回路２２３は、前処理回路２２５に接続されており、前処理回路２２５は、ライブビュー表示のための画素間引き処理、拡大表示のための切り出し処理等の画像処理のための前処理を行なう。
【００３３】
前述のシャッタ２１３と撮像素子２２１の間には、防塵フィルタ２１５、赤外カットフィルタ・ローパスフィルタ２１７が配置されている。防塵フィルタ２１５の周囲には圧電素子が固定されており、この圧電素子は防塵フィルタ駆動回路２３５によって、超音波で振動する。防塵フィルタ２１５の付着した塵埃は、圧電素子に発生する振動波によって、除塵される。
【００３４】
赤外カットフィルタ・ローパスフィルタ２１７は、被写体光束から赤外光成分と、高周波成分を除去するための光学フィルタである。防塵フィルタ２１５、赤外カットフィルタ・ローパスフィルタ２１７および撮像素子２２１は、塵埃等が侵入しないように気密に一体に構成されている。これら一体化された撮像素子２２１等は、シフト機構２３３によって、撮像素子２２１の撮像面におけるＸ軸方向とＹ軸方向に沿って、それぞれ移動させることができる。
【００３５】
手ブレセンサ２２９は、カメラ本体２００に加えられた手ブレ等による振動を検出する角加速度センサ等であり、この出力は手ブレ補正回路２３０に接続している。手ブレ補正回路２３０は手ブレ等の振動を除去するための手ブレ補正信号を生成し、手ブレ補正回路２３０の出力は、シフト機構駆動回路２３１に接続されている。
【００３６】
シフト機構駆動回路２３１は、手ブレ補正信号を入力し、この信号に基づいて、シフト機構２３３を駆動する。このシフト機構２３３によって、カメラ本体２００に加えられた手ブレ等の振動を打ち消すように、撮像素子２２１等を移動させ、防振を行なう。
【００３７】
傾きセンサ２２７は、３軸回りの角加速度を検出し、カメラ本体２００の傾きに応じた値を出力する。傾き検知回路２２８は、傾きセンサ２２７に接続されており、傾きセンサ２２７の定常状態の値から傾き状態を、また傾きセンサ２２７の変化量から加速度を求め、これらの値を出力する。
【００３８】
光源センサ２４４は、蛍光灯や太陽光など、被写体の環境光の光源を検出するためのセンサである。光源処理回路２４５は、光源センサ２４４に接続され、光源に応じた光源データを出力する。照度センサ２４６は、カメラ２００上での照度を測定するためのセンサである。照度処理回路２４７は、照度センサ２４６に接続され、照度に応じた照度データを出力する。
【００３９】
リモコン受信センサ２４８は、リモコン装置（不図示）からの赤外線等によるリモコン指令を受信するための赤外線センサである。リモコン受信処理回路２４９は、リモコン受信センサ２４８に接続され、このセンサからの信号を入力し、リモコン信号を出力する。
【００４０】
前述の前処理回路２２５は、ＡＳＩＣ（Application Specific
Integrated Circuit 特定用途向け集積回路）２５０内のデータバス２５２に接続されており、このデータバス２５２を介して、ＡＳＩＣ２５０内の各回路に接続されている。また、前処理回路２２５は、コントラストＡＦ回路２５３およびＡＥ回路２５５にも接続されている。
【００４１】
コントラストＡＦ回路２５３は、前処理回路２２５から出力される画像信号に基づいて高周波成分を抽出し、この高周波成分に基づくコントラスト情報をボディＣＰＵ２５１に出力する。なお、コントラストＡＦ回路２５３は、高周波成分を抽出するにあたって、画面内の全領域について、抽出可能である。ＡＥ回路２５５は、前処理回路２２５から出力される画像信号に基づいて、被写体輝度に応じた測光情報をボディＣＰＵ２５１に出力する。
【００４２】
データバス２５２、コントラストＡＦ回路２５３、およびＡＥ回路２５５に接続されているボディＣＰＵ２５１は、フラッシュメモリ２７７に記憶されているプログラムに従って、デジタル一眼レフカメラの動作を制御するものである。
【００４３】
データバス２５２には、ボディＣＰＵ２５１以外に、画像処理回路２５７、圧縮伸張回路２５９、ビデオ信号出力回路２６１、スイッチ検知回路２６８、入出力回路２７１、通信回路２７３、フラッシュメモリ制御回路２７５、ＳＤＲＡＭ制御回路２７９、記録媒体制御回路２８３、ダイアル検知回路２８９が接続されている。
【００４４】
画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２８１に一時記憶された画像データをＪＰＥＧやＴＩＦＦ等の圧縮方式により圧縮し、また表示等のために伸張するための回路である。なお、画像圧縮はＪＰＥＧやＴＩＦＦに限らず、他の圧縮方式も適用できる。
【００４５】
ビデオ信号出力回路２６１は、ＬＣＤ駆動回路２６３を介して背面ＬＣＤ３９に接続され、また接点３３０ａを介して外部表示装置３３０に接続可能である。このビデオ信号出力回路２６１は、ＳＤＲＡＭ２８１、記録媒体Ａ２８５、記録媒体Ｂ２８７に記憶された画像データを、背面ＬＣＤ３９等に表示するためのビデオ信号に変換するための回路である。背面ＬＣＤ３９は、カメラ本体２００の背面に配置されるが、撮影者が観察できる位置であれば、背面に限らないし、また液晶に限らず他の表示装置でも構わない。
【００４６】
シャッタレリーズ釦の第1ストローク（半押し）を検出する１Ｒスイッチや、第２ストローク（全押し）を検出する２Ｒスイッチ、ライブビュー表示を指示するためのライブビュー表示釦の操作によってオンするライブビュー表示スイッチを含む各種スイッチ２６９は、スイッチ検知回路２６８を介してデータバス２５２に接続されている。また、各種スイッチ２６９としては、この他にも、メニュー釦に連動するメニュースイッチ、再生釦に連動する再生スイッチ、縦横釦に連動する縦横スイッチ、パワースイッチ等、その他の操作部材に連動する各種スイッチ等を含んでいる。
【００４７】
上述の防塵フィルタ駆動回路２３５、シャッタ幕位置検出センサ２３６、シャッタ駆動機構２３７、位相差ＡＦ処理回路２４３、ミラー駆動機構２３９、ミラー位置検出センサ２４０、光源処理回路２４５、照度処理回路２４７、リモコン受信処理回路２４９、傾き検知回路２２８、シフト機構駆動回路２３１、測光処理回路２１２と接続される入出力回路２７１は、データバス２５２を介してボディＣＰＵ２５１等の各回路とデータの入出力を制御する。なお、入出力回路２７１は、後述するＬＣＤ向き検知回路２６５、充電回路３０１、フラッシュ発光回路３０３にも接続される。
【００４８】
レンズＣＰＵ１１１と通信接点３４１を介して接続された通信回路２７３は、データバス２５２に接続され、ボディＣＰＵ２５１等とのデータのやりとりや制御命令の通信を行う。
【００４９】
フラッシュメモリ制御回路２７５は、フラッシュメモリ（Flash Memory）２７７に接続され、このフラッシュメモリ２７７は、デジタル一眼レフカメラの動作を制御するためのプログラムが記憶されており、前述したように、ボディＣＰＵ２５１はこのフラッシュメモリ２７７に記憶されたプログラムに従ってデジタル一眼レフカメラの制御を行う。なお、フラッシュメモリ２７７は、電気的に書き換え可能な不揮発性メモリである。
【００５０】
ＳＤＲＡＭ２８１は、ＳＤＲＡＭ制御回路２７９を介してデータバス２５２に接続されており、このＳＤＲＡＭ２８１は、画像処理回路２５７によって画像処理された画像データまたは圧縮伸張回路２５９によって圧縮された画像データを一時的に記憶するためのバッファメモリである。
【００５１】
データバス２５２に接続された記録媒体制御回路２８３は、記録媒体Ａ２８５、記録媒体Ｂ２８７に接続され、これらの記録媒体Ａ２８５、記録媒体Ｂ２８７への画像データ等の記録及び画像データ等の読み出しの制御を行う。
【００５２】
記録媒体Ａ２８５および記録媒体Ｂ２８７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２８５、Ｂ２８７は、同じ種類の記録媒体であって、記憶容量が異なる組み合わせや、また異なる種類の記録媒体の組み合わせ等、組み合わせ方は自由である。
【００５３】
ダイアル検知回路２８９は、カメラ本体２００の前側に設けた前ダイアルと後ろ側に設けた後ダイアルにそれぞれ接続しており、それぞれのダイアルの回転方向および回転量を検知する。
【００５４】
カメラ本体２００内には、本体内の各回路や各機構等に電源を供給するための電源供給回路２９１が設けられている。この電源供給回路２９１には、内蔵のバッテリ２９２および外部電源２９３が接続可能である。
【００５５】
ＬＣＤ向き検知回路２６５は、背面ＬＣＤ３９の向きを検知する。すなわち、背面ＬＣＤ３９は、その向きを縦位置や横位置に変更することができ、この向きを検知し、入出力回路２７１を介してボディＣＰＵ２５１に伝達される。
【００５６】
前述のコントロールパネル４０には、コントロールパネル駆動回路２９７が接続されており、コントロールパネル駆動回路２９７はボディＣＰＵ２５１に接続されている。ボディＣＰＵ２５１は、コントロールパネル駆動回路２９７を介して、コントロールパネル４０に撮影情報等の表示を行う。
【００５７】
カメラ本体２００内に配置された内蔵フラッシュは、充電回路３０１、フラッシュ発光回路３０３、発光管３０５等から構成される。充電回路３０１はバッテリ２９２または外部電源２９３等より、電源供給を受け、電圧を昇圧し、これを充電する。フラッシュ発光回路３０３は、所定のタイミングで、充電回路３０１によって昇圧された電圧を発光管３０５に印加する等、発光制御を行う。
【００５８】
外部フラッシュ３１０は、外付けのフラッシュ装置であり、接点３１０ａ、３１０ｂを介して、カメラ本体２００と接続する。この外部フラッシュ３１０内には、フラッシュＣＰＵ３１１、充電回路３１３、フラッシュ発光回路３１５、発光管３１７、反射傘３１８、ズーム駆動回路３１９が配置されている。
【００５９】
フラッシュＣＰＵ３１１は、外部フラッシュ３１０の制御を行い、また、接点３１０ｂ、通信回路２７３を介してボディＣＰＵ２５１と通信を行う。充電回路３１３は、外部フラッシュ３１０内に装填された電源電池の電圧を昇圧し、これを充電する。フラッシュ発光回路３１５は、ボディＣＰＵ２５１と接点３１０ａを介して受信した発光命令に応じて発光する。ズーム駆動回路３１９は、撮影光学系１０１の焦点距離に応じて、発光管３１７と反射笠３１８の間隔を駆動制御し、撮影光学系１０１の焦点距離等に応じた照射角となるように制御する。
【００６０】
外部機器３２０は、パーソナルコンピュータ（ＰＣ）等の機器であり、接点３２０ａ、通信回路２７３を介して、ボディＣＰＵ２５１と通信を行う。外部表示機器３３０は、テレビ等の表示機器であり、接点３３０ａを通じて、前述のビデオ信号出力回路２６１に接続されている。外部表示機器３３０の内部には、表示装置駆動回路３３１と表示装置３３３が配置されている。ビデオ信号出力回路２６１からのビデオ信号に基づき、表示装置駆動回路３３１は表示装置３３３に記録画像等の表示を行う。
【００６１】
次に、本実施形態における縦横とアスペクト比について、図２を用いて説明する。撮像素子２２１の撮像面はほぼ正方形をしており、撮像素子２２１内であって、かつイメージサークル１２０内において、画像が得られる。このときの縦横の比率をアスペクト比という。本実施形態においては、４：３横長、４：３縦長、１６：９横長、１６：９縦長の４つのアスペクト比を採用している。もちろん、これとは異なるアスペクト比を採用しても構わない。ここで説明したアスペクト比は、設定変更のサブルーチンによって、変更できる。設定されたアスペクト比に基づいて、有効となる画像データ（画像データ出力領域）は、撮像素子駆動回路２２３から出力される画像データの中から、前処理回路２２５や画像処理回路２５７によって、選択される。
【００６２】
従来の撮像装置においては、アスペクト比によって画角が異なり、対角線長が異なるといった問題があった。すなわち、画角が変化してしまうという問題があった。しかし、本実施形態では、撮像素子２２１のイメージサークル１２０の対角線はいつも一定であり、画角が変化することがない。
【００６３】
次に、本実施形態における可動ミラー２０１とシャッタ２１３の位置関係について図６を用いて説明する。図６は、撮影光学系１０１の光軸Ｌに沿っての要部断面図である。可動ミラー２０１は退避時（上昇時）には、ミラー復帰位置Ｍｒからミラー退避位置Ｍ１に移動し、復帰時（下降時）には、ミラー退避位置Ｍ１からミラー復帰位置Ｍｒに移動する。ミラー退避位置Ｍ１は、縦方向で最長となる最大画面に対する有効光線Ｌ１を遮らない位置である。すなわち、画像データ出力領域は、設定された縦横位置やアスペクト比によって変化するが、有効光線Ｌ１は縦方向で最長となる最大画面の場合の上端側の光線である。また、可動ミラー２０１が、ミラー復帰位置Ｍｒからミラー退避位置Ｍ１に移動する際に、設定された縦横位置やアスペクト比で決まる画面に対する有効光線Ｌ２を遮らない位置をミラー復帰位置Ｍ２とする。
【００６４】
シャッタ２１３は、シャッタ先幕２１３ａおよびシャッタ後幕２１３ｂの両幕が上から下に走行するタイプである。シャッタチャージよって、両幕が上部に保持され、シャッタ先幕２１３ａが下に向けて走行を開始することにより露光が開始し、露出時間経過後に、シャッタ後幕２１３ｂが下に向けて走行を開始し、最大画面に対する有効光線Ｌ４を通過すると、露光を終了する。ただし、これより小さい画面のアスペクト比が設定されている場合には、この画面に対する有効光線Ｌ３を通過すると実質的には露光を終了する。有効光線Ｌ４を通過するときのシャッタ後幕２１３ｂの位置をシャッタ閉位置Ｓ１と称し、有効光線Ｌ３を通過するときのシャッタ後幕２１３ｂの位置をシャッタ閉位置Ｓ２と称する。
【００６５】
なお、本実施形態においては使用しないが後述する第２実施形態においては、ミラー退避位置Ｍ３を検知する。この可動ミラー２０１がミラー退避位置Ｍ３に達した時点でシャッタ先幕２１３ａが走行を開始すると、可動ミラー２０１がミラー退避位置Ｍ２に達する時点で丁度シャッタ先幕２１３ａが有効光線Ｌ２の位置に到達する。したがって、可動ミラー２０１がミラー退避位置Ｍ３に達した時点で、シャッタ先幕２１３ａを走行開始させると、撮影シーケンスを短縮することが可能となる。
【００６６】
次に、本実施形態における動作について、図３および図４に示すフローチャートを用いて説明する。
【００６７】
図３は、カメラ本体２００側のボディＣＰＵ２５１によるパワーオンリセットの動作である。カメラ本体２００にバッテリ２９２が装填され、または外部電源２９３が接続されると、このフローがスタートする。まずカメラ本体２００のパワースイッチがオンであるかを判定する（＃１）。判定の結果、パワースイッチがオフの場合には、低消費電力の状態であるスリープ状態となる（＃３）。
【００６８】
このスリープ状態ではパワースイッチがオンとなった場合のみに割り込み処理を行い、ステップ＃５以下においてパワーオンのための処理を行う。パワースイッチがオンとなるまでは、パワースイッチ割り込み処理以外の動作を停止し、電源電池の消耗を防止する。
【００６９】
ステップ＃１において、パワースイッチがオンであった場合、またはステップ＃３におけるスリープ状態を脱した場合には、電源供給を開始する（＃５）。次に、防塵フィルタ２１５における塵埃除去動作を行う（＃７）。このステップでは、防塵フィルタ２１５に固着された圧電素子に防塵フィルタ駆動回路２３５から駆動電圧を印加し、超音波振動波によって塵埃等を除去する。
【００７０】
次に、前ダイアルや後ダイアル等によって設定された撮影モードや、ＩＳＯ感度、マニュアル設定されたシャッタ速度や絞り値等の情報があればそれらの撮影モードや撮影条件の読み込みを行う（＃９）。なお、このときに、併せて、レンズＣＰＵ１１１から通信回路２７３を介して交換レンズ１００の開放絞り、焦点距離情報等のレンズ情報の読み込みも行う。
【００７１】
撮影モード等の読み込みを行うと、次に、ライブビューを行っているか否かの判定を行う（＃１１）。本実施形態に係わるデジタル一眼レフカメラのライブビュー表示は、ＬＶ表示釦が一度操作されると、ライブビュー表示モードに設定され、再度操作されると、ライブビュー表示モードが解除される。
【００７２】
ステップ＃１１における判定の結果、ライブビュー表示モードでなかった場合には、すなわち、光学ファインダ表示モードの場合には、ファインダ測光（Ｆ測光）および露出量演算を行う（＃１３）。ライブビュー表示モードでない場合には、可動ミラー２０１は下降状態にあり、撮影光学系１０１を通過した被写体光束をペンタプリズム２０７等のファインダ光学系に反射している。このため、測光素子２１１に被写体光束が入射し、測光を行うことができる。
【００７３】
ファインダ測光によって測光を行うと、このとき得た被写体輝度に基づいて適正露光を得るための絞り値やシャッタ速度等の露出量の演算を行う。なお、露出量の演算にあたっては、ステップ＃９において設定されていた撮影モードや撮影条件に従って行う。
【００７４】
露出量の演算を行うと、次に、ファインダ表示を行う（＃１５）。ファインダ表示は、ファインダ内表示装置２０６によって行い、設定されている縦横とアスペクト比に応じた撮影範囲や、また演算または手動設定された絞り値やシャッタ速度等の撮影条件が表示される。また、演算された露出量に基づく絞り値やシャッタ速度値、またはこれらの手動設定値は、コントロールパネル４０にも表示される。
【００７５】
続いて、ライブビュー表示の消灯を行う（＃１７）。ライブビュー表示モードから光学ファインダ表示モードに切り替わった際には、ここで、ライブビュー表示の消灯を行う。なお、ライブビュー表示モードが解除され光学ファインダ表示を繰り返し行っている場合には、ライブビュー表示は消灯されているので、このステップをスキップする。
【００７６】
ステップ１１における判定の結果、ライブビュー表示モードに設定されている場合には、可動ミラー２０１の退避を行い（＃３１）、シャッタ２１３を開放する（＃３３）。ライブビュー表示モードでは、撮像素子２２１からの画像データに基づいて、被写体像を背面ＬＣＤ３９に表示するので、撮像素子２２１上に被写体像が形成されるように、可動ミラー２０１を退避し、シャッタ２１３を開放する。なお、ライブビュー表示開始後は、このステップ＃３１、＃３３をスキップする。
【００７７】
続いて、イメージャー測光（Ｉ測光）および露出量の演算を行う（＃３５）。ライブビュー表示モードに入ると、可動ミラー２０１は撮影光学系１０１の光路から退避し、測光素子２１１には、被写体光束が入射しない。そこで、撮像素子２２１からの画像データに基づいて、ＡＥ回路２５５によって被写体輝度の測定を行う。
【００７８】
ここで測定された被写体輝度に基づいて、適正露光を得るための絞り値やシャッタ速度等の露出量の演算を行う。なお、露出量の演算にあたっては、ステップ＃１３と同様、ステップ＃９において設定されていた撮影モードや撮影条件に従って行う。また、ここで演算された露出量に基づく絞り値やシャッタ速度値、またはこれらの手動設定値は、背面ＬＣＤ３９やコントロールパネル４０に表示される。
【００７９】
続いて、ライブビュー表示を行う（＃３７）。ライブビュー表示は、撮像素子２２１からの画像データに基づき、前処理回路２２５や画像処理回路２５７によって、画素数を間引く等の画像処理を行い、被写体像を背面ＬＣＤ３９に動画表示する。撮像素子２２１から画像データの読み出しを行うたびに、被写体像の更新を行う。
【００８０】
ライブビュー表示を行うと、次に、ファインダ表示の消灯を行う（＃３９）。光学ファインダ表示モードからライブビュー表示モードに切り替わった際には、ここで、ファインダ表示の消灯を行う。なお、ライブビュー表示モードに切り替わり、ライブビュー表示を繰り返し行っている場合には、ファインダ表示は消灯されているので、このステップはスキップする。
【００８１】
ステップ＃１７におけるライブビュー表示を消灯すると、またはステップ＃３９におけるファインダ表示を消灯すると、操作部材による操作がなされたか否かの判定を行う（＃１９）。このステップでは、スイッチ検知回路２６８によって、１Ｒスイッチ、設定スイッチ（メニュースイッチ）、再生スイッチ、パワースイッチのいずれかのスイッチが操作されたか否かを判定する。
【００８２】
ステップ＃１９における判定の結果、操作がなかった場合には、ステップ＃１１に戻り、前述の動作を実行する。一方、判定の結果、操作がなされていた場合には、次に、レリーズ釦２１が半押しされたか否か、すなわち１Ｒスイッチがオンか否かの判定を行う（＃２１）。
【００８３】
ステップ＃２１における判定の結果、１Ｒスイッチがオンであった場合には、撮影準備と撮影を行う撮影動作のサブルーチンを実行する（＃４１）。このサブルーチンにおいては、設定されているアスペクト比や縦横位置に応じて、可動ミラー２０１の駆動途中でシャッタ２１３のシャッタ先幕２１３ａやシャッタ後幕２１３ｂの走行を開始させる。このサブルーチンの詳細は図４を用いて後述する。
【００８４】
ステップ＃２１における判定の結果、１Ｒスイッチがオンでなかった場合、または、ステップ＃４１における撮影動作を実行した場合には、次に、設定スイッチがオンか否かの判定を行う（＃２３）。このステップでは、メニュー釦（設定釦）３５等が操作され、メニューモード（設定モード）に設定されたか否かの判定を行う。
【００８５】
ステップ＃２３における判定の結果、メニューモード（設定モード）であった場合には、設定変更を行う（＃４３）。この設定変更のサブルーチンでは、アスペクト変更モード等の種々のモード等を設定でき、設定されたメニューに従って種々の処理を行う。
【００８６】
ステップ＃２３における判定の結果、設定スイッチがオンでなかった場合、または、ステップ＃４３における設定変更のサブルーチンを実行すると、次に、再生スイッチがオンか否かの判定を行う（＃２５）。この判定の結果、再生スイッチがオンであった場合には、再生動作を実行する（＃４５）。再生動作では、記録媒体Ａ２８５または記録媒体Ｂ２８７に記録されている画像データを読み出し、背面ＬＣＤ３９または外部表示装置３３０等に再生表示する。
【００８７】
ステップ＃２５における判定の結果、再生スイッチがオンでなかった場合、または、ステップ＃４５における再生動作のサブルーチンを実行すると、次に、パワースイッチがオンか否かの判定を行う（＃２７）。この判定の結果、パワースイッチがオンであった場合には、ステップ＃１１に戻り、前述の動作を実行する。
【００８８】
一方、ステップ＃２７における判定の結果、パワースイッチがオンではなかった場合には、電源供給を停止し（＃２９）、ステップ＃３に戻り、前述のスリープ状態となる。
【００８９】
次に、ステップ＃４１における撮影動作のサブルーチンについて、図４に示すフローチャートおよび図５に示すタイミングチャートを用いて説明する。
【００９０】
撮影動作のサブルーチンに入ると、まず、ステップ＃１１と同様にライブビュー表示モードか否かの判定を行う（＃５１）。この判定の結果、ライブビュー表示モードでなかった場合には、位相差ＡＦのサブルーチンを実行する（＃５３）。この位相差ＡＦのサブルーチンでは、撮影光学系１０１の周辺を通過した２光束を位相差ＡＦセンサ２４１で検出し、この検出出力を用いて公知の位相差法に基づいて、撮影光学系１０１の焦点ズレ方向および焦点ズレ量を検出する。そして、この検出された焦点ズレ方向および焦点ズレ量を用いて、撮影光学系１０１を合焦位置に駆動する。
【００９１】
位相差ＡＦが終わると、次に、ステップ＃１３と同様にファインダ測光および露出量演算を行う（＃５５）。ここで演算された露出量に基づく絞り値やシャッタ速度値、またはこれらの手動設定値は、ファインダ内表示装置２０６やコントロールパネル４０に表示される。
【００９２】
ステップ＃５１における判定の結果、ライブビュー表示モードであった場合には、イメージャーＡＦのサブルーチンを実行する（＃５７）。ライブビュー表示モードでは、可動ミラー２０１が撮影光学系１０１の光路から退避位置にあり、位相差ＡＦによる測距を行うことができない。そこで、撮像素子２２１からの画像データに基づいて、イメージャーＡＦを行う。このイメージャーＡＦのサブルーチンでは、コントラストＡＦ回路２５３から出力される画像データの高周波成分がピーク値となるように、撮影光学系１０１の駆動制御を行う。
【００９３】
イメージャーＡＦを行うと、次に、ステップ＃３５と同様にイメージャー測光および露出量演算を行う（＃５９）。ここで演算された露出量に基づく絞り値やシャッタ速度値、またはこれらの手動設定値は、背面ＬＣＤ３９やコントロールパネル４０に表示される。
【００９４】
ステップ＃５５におけるファインダ測光および露出量演算、またはステップ＃５９におけるイメージャー測光を行うと、次に、レリーズ釦が全押しされたか否か、すなわち２Ｒスイッチがオンか否かを判定する（＃６１）。この判定の結果、２Ｒスイッチがオンでなかった場合には、１Ｒスイッチがオンか否かの判定を行う（＃６３）。
【００９５】
このステップ＃６３における判定の結果、１Ｒスイッチがオンでなければ、レリーズ釦から撮影者の指が離れたことから、撮影動作のサブルーチンを終了し、元のフローに戻る。一方、ステップ＃６３における判定の結果、１Ｒスイッチがオンであった場合には、少なくとも撮影者の指がレリーズ釦にかかっていることから、ステップ＃６１に戻り、このステップとステップ＃６３を交互に判定する待機状態となる。
【００９６】
ステップ＃６１における判定の結果、２Ｒスイッチがオンとなると、レリーズ釦が全押しされたことから露光動作に移る。まず、ステップ＃１１、＃５１と同様に、ライブビュー表示モードか否かの判定を行う（＃６５）。この判定の結果、ライブビュー表示モードでなかった場合には、すなわち光学ファインダ表示モードであった場合には、絞り１０３の絞り込みを開始する（＃６７、タイミングｔ１１）。ここでは、レンズＣＰＵ１１１に絞り込み開始信号を送信し、絞り駆動機構１０９によって設定絞り値に向けて絞り１０３の絞り込みを開始する。絞り値は、露出量演算に基づいて求められた絞り値または手動設定された値である。
【００９７】
続いて、可動ミラー２０１を退避方向に駆動開始する（＃６９）。ライブビュー表示モードでない場合、すなわち光学ファインダ表示モードの場合には、可動ミラー２０１が下降位置にあるので、撮像素子２２１に被写体光束に導くために、可動ミラー２０１を退避させる。可動ミラー２０１の駆動を開始すると、次に、可動ミラー２０１がミラー退避位置Ｍ２に達したか否かの判定を行う（＃７１）。ここでは、ミラー位置検出センサ２４０からの検知出力に基づいて、図６において説明したミラー退避位置Ｍ２に達したか否かを判定する。
【００９８】
ステップ＃７１における判定の結果、可動ミラー２０１がミラー退避位置Ｍ２に達した場合には（タイミングｔ１２）、シャッタ先幕２１３ａの走行を開始させる（＃７３）。このミラー退避位置Ｍ２では、可動ミラー２０１は完全に上昇してはいないが、設定された縦横位置やアスペクト比（トリミング）を考慮すると、画像データ出力領域に到達する有効光線Ｌ２を遮蔽することがないことから、このタイミングでシャッタ先幕２１３ａの走行を開始させる。シャッタ先幕走行により、撮像素子２２１上に被写体像が結像し、電荷蓄積を開始する。続いて、可動ミラー２０１がミラー退避位置Ｍ１に達したか否かの判定を行う（＃７５）。このステップでは、ミラー位置検出センサ２４０からの検知出力に基づいて、図６において説明したミラー退避位置Ｍ１に達したか否かを判定する。
【００９９】
ステップ＃７５における判定の結果、ミラー退避位置Ｍ１に達していなかった場合には、次に、露光時間が終了したか否かの判定を行う（＃７９）。露光時間は、ステップ＃５５または＃５９における測光・露出量演算で求められたシャッタ速度、または撮影者が手動設定したシャッタ速度に基づいて設定され、このステップにおいては、ステップ＃７３におけるシャッタ先幕走行開始後、この露光時間が終了したか否かの判定を行う。
【０１００】
ステップ＃７９における判定の結果、露光時間が終了していなかった場合には、次に、シャッタ後幕２１３ｂがシャッタ閉位置Ｓ２に達しているか否かの判定を行う（＃８５）。このステップでは、シャッタ幕位置検出センサ２３６の検出出力を判定し、図６を用いて説明したシャッタ閉位置Ｓ２に達したか否かの判定を行う。この判定の結果、シャッタ閉位置Ｓ２に達していなかった場合には、ステップ＃７５に戻る。
【０１０１】
ステップ＃７５における判定の結果、可動ミラー２０１がミラー退避位置Ｍ１に達していた際には（タイミングｔ１３）、ミラー駆動停止を行う（＃７７）。前述したようにミラー退避位置Ｍ１は、最大画面の有効光線Ｌ１を遮らない位置であり、ミラー駆動機構２３９による可動ミラー２０１の駆動を停止する。可動ミラー２０１の駆動を停止すると、前述のステップ＃７９に進む。
【０１０２】
ステップ＃７９における判定の結果、露光時間が終了すると（タイミングｔ１４）、シャッタ後幕２１３ｂの走行を開始する（＃８１）。測光・露出量演算に基づくシャッタ速度、または設定されたシャッタ速度に応じた露光時間が経過したことから、シャッタ駆動機構２３７によってシャッタ後幕２１３ｂの走行を開始させる。シャッタ後幕２１３ｂの走行を開始させると、前述のステップ＃８５に進む。
【０１０３】
ステップ＃６５における判定の結果、ライブビューであった場合には、シャッタ２１３の閉じを行う（＃１０１）。ライブビュー表示モードにおいては、可動ミラー２０１は上昇し退避位置Ｍ１にあることから、可動ミラー２０１の駆動は必要ない。一方、シャッタ２１３は開状態にあるが、一旦閉じて、シャッタチャージを行う必要があり、このステップにおいてシャッタ駆動機構２３７によってシャッタ閉じ動作を実行する。
【０１０４】
シャッタ２１３を閉じると、次に、絞り１０３の絞り込みを開始する（＃１０３）。ここでは、レンズＣＰＵ１１１に対して、測光・露出量演算に基づく絞り値、または手動設定された絞り値となるように、絞り込みの指示を出力する。続いて、シャッタ先幕２１３ａの走行を開始させる（＃１０５）。ここでは、シャッタ駆動機構２３７に指示し、シャッタ先幕２１３ａの走行を開始させる。
【０１０５】
シャッタ先幕２１３ａが走行を開始すると、続いて、露光時間が終了したか否かの判定を行う（＃１０７）。露光時間は、露出量演算で求めたシャッタ速度、または手動設定したシャッタ速度に基づいて設定され、このステップにおいては、ステップ＃１０５におけるシャッタ先幕走行開始後、この露光時間が終了したか否かの判定を行う。
【０１０６】
ステップ＃１０７における判定の結果、露光時間が終了していなかった場合には、次に、ステップ＃８５と同様に、シャッタ後幕閉位置Ｓ２にあるか否かの判定を行う（＃１１１）。この判定の結果、シャッタ後幕閉位置Ｓ２になかった場合には、ステップ＃１０７に戻る。ステップ＃１０７における判定の結果、露光時間が終了した場合には、ステップ＃８１と同様にシャッタ後幕２１３ｂの走行を開始させ、ステップ＃１１１に進む。
【０１０７】
ステップ＃８５またはステップ＃１１１における判定の結果、シャッタ後幕２１３ｂがシャッタ後幕閉位置Ｓ２に達した際には（タイミングｔ１５）、絞り１０３の開放を行う（＃８７）。図６を用いて説明したように、シャッタ閉位置Ｓ２は、シャッタ後幕２１３ｂが完全に走行終了する位置ではないが、アスペクト比を考慮すると、撮像画面に対する有効光線Ｌ３を通過したことから、このタイミングで絞り１０３の開放を開始させる。ボディＣＰＵ２５１は、レンズＣＰＵ１１１に対して、絞り１０３が開放絞り値となるように指示を送信する。
【０１０８】
絞りを開放にすると、次に、画像の読み出しを開始する（＃８９）。このステップでは、撮像素子２２１から画像データを撮像素子駆動回路２２３によって読み出す。この段階では、縦横位置や設定アスペクト比に係わりなく全画像データを読み出し、前処理回路２２５または画像処理回路２５７において、縦横位置や設定アスペクト比に応じた画像データ出力領域の画像データを抽出する。
【０１０９】
画像データの読み出しを開始すると、次に、ステップ＃１１、＃５１、＃６５と同様に、ライブビュー表示モードか否かの判定を行う（＃９１）。この判定の結果、ライブビュー表示モードでなかった場合には、可動ミラー２０１の復帰を行う（＃９３）。すなわち、ステップ＃６９において可動ミラー２０１は撮影光学系１０１の光路から退避していたので、光路中に挿入するように下降させ、ミラー復帰位置Ｍｒまで駆動する。
【０１１０】
一方、ステップ＃９１における判定の結果、ライブビュー表示モードであった場合には、シャッタ２１３の開放を行う（＃９５）。すなわち、ライブビュー表示を再開するために、撮影光学系１０１からの被写体光束を撮像素子２２１に導くべく、シャッタ先幕２１３ａを走行させ、シャッタを開放する。
【０１１１】
ステップ＃９３における可動ミラー復帰、またはステップ＃９５におけるシャッタ開を行うと、次に、画像処理を行う（＃９７）。すなわち、撮像素子２２１から読み出された画像信号を前処理回路２２５、画像処理回路２５７や圧縮伸張回路２５９等によって種々の画像処理を行う。また、このステップにおいて、縦横設定や、設定アスペクト比に基づいてトリミング処理される画像データ出力領域の画像データが、前処理回路２２５、画像処理回路２５７等によって選択され、画像処理される。
【０１１２】
画像処理を行うと、次に、画像記録を行う（＃９９）。画像記録は、画像処理された画像データ出力領域の画像データを、記録媒体制御回路２８３によって、記録媒体Ａ２８５または記録媒体Ｂ２８７に記録する。この画像記録が終わると、元のフローに戻る。
【０１１３】
このように、本実施形態においては、ステップ＃７１および＃７３においてシャッタ先幕２１３ａの走行開始のタイミングを、縦横位置やアスペクト比によって決まる画像データ出力領域と可動ミラー２０１の状態に応じて制御している。すなわち、トリミング領域を考慮し、この領域と可動ミラー２０１の位置に応じて、シャッタ先幕２１３ａの走行開始のタイミングを制御している。このため、縦長や横長の切り換えや、アスペクト比を切り換えトリミング撮影を行う場合に、撮影シーケンスの短縮することができる。すなわち、図５における期間Ａの分だけ短縮することができる。この撮影シーケンスの短縮については、図１５および図１６を用いて本発明を適用しない場合との対比について後述する。
【０１１４】
また、本実施形態においては、トリミング領域を考慮し、この領域とシャッタ２１３の走行位置に応じて、可動ミラー２０１の駆動を制御している。すなわち、シャッタ後幕２１３ｂの走行開始後、絞り１０３の開放や可動ミラー２０１の復帰駆動等にあたって、シャッタ後幕２１３ｂの走行完了を待たず、シャッタ後幕閉位置Ｓ２において絞り開放等を行っている（＃８５、＃８７）。このため、縦長や横長の切り換えや、アスペクト比を切り換え、トリミング撮影を行う場合に、撮影シーケンスの短縮することができる。すなわち、図５における期間Ｃの分だけ短縮することができる。
【０１１５】
なお、本実施形態においては、ステップ＃７１において、ミラー退避位置Ｍ２に達しているか否かの判定にあたって、ミラー位置検出センサ２４０における検出結果に基づいて判定していた。しかし、これに限らず、例えば、可動ミラー２０１の走行開始してからの時間を計時し、これに基づいて判定するようにしても勿論かまわない。また、ステップ＃８５において、シャッタ後幕２１３ｂがシャッタ閉位置Ｓ２に達しているか否かの判定にあたって、シャッタ幕位置検出センサ２３５における検出結果に基づいて判定した。しかし、これに限らず、例えば、シャッタ後幕２１３ｂが走行開始してからの時間を計時し、これに基づいて判定するようにしても勿論かまわない。
【０１１６】
次に、本実施形態における撮影シーケンスの短縮について、本発明を適用しない場合の動作との対比で説明する。図１５および図１６は、本発明を適用しない場合における一般的な撮影動作を示している。図４における本発明の第１実施形態における撮影動作のフローチャートにおけるステップ＃７１〜＃８５および＃１０１〜＃１１１と、図１５における撮影動作のフローチャートにおける＃７１Ｂ〜＃８１Ｂおよび＃１０１〜＃１０３のみであることから、この相違点を中心に説明する。
【０１１７】
図１５に示す撮影動作のフローに入り、ステップ＃６１において、レリーズ釦が全押しされたことを判定し、ステップ＃６５において、ライブビュー表示に設定されていることを判定すると（＃６５→Ｙ、タイミングｔ５１）、次に、絞り込みを開始し（＃６７）、可動ミラー２０１を退避方向に駆動を開始する（＃６９）。第１実施形態においては、ミラー退避位置Ｍ２に達したことを判定するとシャッタ先幕２１３ａの走行を開始していたが、この比較例では、ミラー退避位置Ｍ１に達するのを待つ（＃７１Ｂ）。そして、可動ミラー１がミラー退避位置Ｍ１に達すると（＃７１Ｂ→Ｙ、タイミングｔ５２）、可動ミラー２０１の駆動を停止し（＃７３Ｂ）、シャッタ先幕２１３ａの走行を開始させる（＃７５Ｂ）。このため、シャッタ先幕２１３ａが走行開始するのが、第１実施形態に比較し、期間Ａだけ遅延している。
【０１１８】
そして、露光時間が経過するのを待ち（＃７７Ｂ）、露光時間が終了すると（＃７７Ｂ→Ｙ、タイミングｔ５３）、シャッタ後幕２１３ｂの走行を開始させる（＃７９Ｂ）。第１実施形態においては、シャッタ後幕閉位置Ｓ２に達すると、絞り１０３の開放や可動ミラー２０１の復帰動作を開始させていたが、この比較例では、シャッタ後幕閉位置Ｓ１に達するのを待つ（＃８１Ｂ）。そして、シャッタ後幕２１３ｂがシャッタ後幕閉位置Ｓ１に達すると（＃８１Ｂ→Ｙ、タイミングｔ５４）、絞り１０３を開放駆動し、可動ミラー２０１を復帰位置に向けて駆動等を行う。このため、可動ミラー２０１の復帰駆動を開始するのが、第１実施形態に比較し、期間Ｃだけ遅延している。
【０１１９】
また、ライブビュー表示モードが設定されている場合には、シャッタ２１３の閉じ動作を行い（＃１０１）、絞り込みを行うと（＃１０３）、シャッタ先幕２１３ａを走行させ、ステップ＃７５Ｂ以下に進んでいる。そしてシャッタ後幕２１３ｂのシャッタ後幕閉位置Ｓ１に達するのを待ち、可動ミラー２０１の復帰動作を行っている。このため、可動ミラー２０１の復帰駆動を開始するのが、第１実施形態に比較し、期間Ｃだけ遅延している。
【０１２０】
このように、第１実施形態においては、縦横位置やアスペクト比設定によるトリミングによって変化する画像データ出力領域に応じて、シャッタ先幕２１３ａや、絞り１０３、可動ミラー２０１等の駆動タイミングを制御している。このため、撮影シーケンスの短縮を図ることができる。
【０１２１】
次に、本発明の第２実施形態について、図７および図８を用いて説明する。第１実施形態においては、シャッタ先幕２１３ａの走行開始は、ミラー退避位置Ｍ２に達した時点で行っていたが、第２実施形態においては、ミラー退避位置Ｍ２よりも手前の位置であるミラー退避位置３に達するとシャッタ先幕２１３ａの走行を開始させている。また、第１実施形態においては、可動ミラー２０１の復帰駆動は、シャッタ後幕閉位置Ｓ２に達してから行っていたが、第２実施形態においては、シャッタ後幕閉位置Ｓ２よりも手前の位置に対応するミラー復帰時間が経過した時点でミラー復帰駆動を開始している。
【０１２２】
第２実施形態における構成は、第１実施形態と同様であり、図４に示したフローチャートを図７に示すフローチャートに置き換え、図５に示したタイミングチャートを図８に示すタイミングチャートに置き換える以外は同様であるので、相違点を中心に説明する。
【０１２３】
図７に示す本実施形態における撮影動作のフローにおいて、第１実施形態における図４に示すフローと同様の処理を行うステップについては同一の符号を付し詳しい説明は省略する。レリーズ釦が全押しされ露光動作に入ると（＃６１→Ｙ）、ライブビュー表示か否かの判定を行い（＃６５）、この判定の結果、ライブビュー表示ではない場合、すなわち、光学ファインダ表示の場合には（タイミングｔ２１）、絞り込みを開始し（＃６７）、可動ミラー２０１の退避方向に駆動を開始する（＃６９）。
【０１２４】
可動ミラー２０１の駆動を開始すると、次に、ミラー位置検出センサ２４０の検出結果に基づいて可動ミラー２０１がミラー退避位置Ｍ３に達したか否かの判定を行う（＃７１Ａ）。第１実施形態においては、ステップ＃７１において、ミラー退避位置Ｍ２であるか否かを判定していたが、本実施形態においては、図６に示すように、ミラー退避位置Ｍ２より手前にあるミラー退避位置Ｍ３に達したか否かの判定を行う。ステップ＃７１Ａにおける判定の結果、ミラー退避位置Ｍ３に達すると（＃７１Ａ→Ｙ、タイミングｔ２２）、シャッタ先幕２１３ａの走行を開始させる（＃７３）。
【０１２５】
シャッタ先幕２１３ａが走行を開始すると、次に、第１実施形態と同様に、ミラー退避位置Ｍ１に達したか否かの判定（＃７５）を行い、達していない場合には、露光時間が終了したか否かの判定（＃７９）を行う。この判定の結果、露光時間が終了していなかった場合には、次に、ミラー復帰待ち時間が経過した否かの判定を行う（＃８２）。このミラー復帰待ち時間は、図８において、シャッタ後幕２１３ｂが走行を開始した時点であるタイミングｔ２４からタイミングｔ２５までの時間である。
【０１２６】
第１実施形態においては、可動ミラー２０１の復帰動作は、シャッタ後幕２１３ｂがシャッタ後幕閉位置Ｓ２に達した時点で開始していたが、第２実施形態においては、シャッタ後幕２１３ｂがシャッタ後幕閉位置Ｓ２に達する時点において可動ミラー２０１がミラー退避位置Ｍ２に達するように、可動ミラー２０１の移動時間分を考慮して先のタイミング（ｔ２５）でスタートしている。なお、このミラー復帰待ち時間は、本実施形態においては、シャッタ後幕２１３ｂの走行開始から計時しているが、これに限らず、シャッタ先幕走行開始など他のタイミングから計時するようにしても良い。
【０１２７】
ステップ＃８２における判定の結果、ミラー復帰待ち時間が経過していない場合には、次に、第１実施形態と同様に、シャッタ後幕閉位置Ｓ２に達しているか否かを判定し（＃８５）、達していなかった場合には、ステップ＃７５に戻る。ステップ＃７５における判定の結果、ミラー退避位置Ｍ１に達していた場合は（＃７５→Ｙ、タイミングｔ２３）、可動ミラー２０１の駆動を停止し（＃７７）、ステップ＃７９に進む。
【０１２８】
ステップ＃７９における判定の結果、露光時間が終了していた場合には（＃７９→Ｙ、タイミングｔ２４）、シャッタ後幕２１３ｂの走行を開始させ（＃８１）、ステップ＃８２に進む。ステップ＃８２における判定の結果、ミラー復帰待ち時間が経過した場合には（＃８２→Ｙ、タイミングｔ２５）、ライブビュー表示モードか否かの判定を行う（＃８３）。この判定の結果、ライブビュー表示モードでなければ、ミラー位置復帰動作を開始させ（＃８４）、ステップ＃８５に進む。ミラー位置復帰動作では、ミラー退避位置Ｍ１にある可動ミラー２０１をミラー復帰位置Ｍｒに移動させる。
【０１２９】
ステップ＃８５またはステップ＃１１１における判定の結果、シャッタ後幕閉位置Ｓ２に達していた場合には、絞り１０３を開放し（＃８７）、画像読み出し（＃８９）を行う。続いて、ライブビュー表示モードか否かの判定を行い、ライブビュー表示モードであった場合には、シャッタ２１３の開放を行う（＃９５）。ステップ＃９１における判定の結果、ライブビュー表示モードでなかった場合、またはステップ＃９５のシャッタ開放を行うと、次に、画像処理を行い（＃９７）、画像を記録し（＃９９）、元のフローに戻る。
【０１３０】
このように、本実施形態においては、ステップ＃７１Ａおよび＃７３においてシャッタ先幕２１３ａの走行開始のタイミングを、縦横位置やアスペクト比によって決まるトリミング領域の画像データ出力領域と可動ミラー２０１の状態に応じて制御している。また、画像データ出力領域とシャッタ２１３の状態に応じて、可動ミラー２０１の駆動タイミングを制御している。このため、縦長や横長の切り換えや、アスペクト比を切り換えた場合に、撮影シーケンスの短縮することができる。特に第２実施形態においては、先幕２１３ａの走行開始を、可動ミラー２０１がミラー退避位置Ｍ３に達した時点で行っていることから、第１実施形態よりもさらに撮影シーケンスを短縮することができる。この結果、図８において期間Ａおよび期間Ｂの分だけ短縮することができる。
【０１３１】
また、本実施形態においても、シャッタ後幕２１３ｂの走行開始後、絞り１０３の開放や可動ミラー２０１の復帰駆動等にあたって、シャッタ後幕２１３ｂの走行完了を待たず行っている（＃８４、＃８７）。特に第２実施形態においては、可動ミラー２０１の復帰動作をミラー復帰待ち時間が終了した時点で行っていることから、第１実施形態よりもさらに撮影シーケンスを短縮することができる。この結果、図８において期間Ｃおよび期間Ｄの分だけ短縮することができる。
【０１３２】
なお、ステップ＃７１Ａにおいて、ミラー退避位置Ｍ３に達しているか否かの判定にあたって、ミラー位置検出センサ２４０における検出結果に基づいて判定していた。しかし、これに限らず、例えば、可動ミラー２０１の走行開始してからの時間を計時し、これに基づいて判定するようにしても勿論かまわない。また、ステップ＃８２において、ミラー復帰待ち時間が経過したかをシャッタ後幕２１３ｂの走行開始からの計時時間で判定していたが、これに限らず、例えば、シャッタ幕位置検出センサ２３５による検出結果に基づいて判定しても良い。さらに、ステップ＃８５において、シャッタ後幕２１３ｂが閉位置２に達しているか否かの判定にあたって、シャッタ幕位置検出センサ２３５における検出結果に基づいて判定した。しかし、これに限らず、例えば、シャッタ後幕２１３ｂが走行開始してからの時間を計時し、これに基づいて判定するようにしても勿論かまわない。
【０１３３】
次に、本発明の第３実施形態について、図９ないし図１１を用いて説明する。第１実施形態および第２実施形態においては、シャッタ２１３のシャッタ幕２１３ａ、２１３ｂは上から下に走行していたが、第３実施形態においては、シャッタ幕２１３は下から上に走行するタイプを使用している。すなわち、シャッタ幕２１３の走行方向は、可動ミラー２０１の退避方向と同じ方向である。
【０１３４】
第３実施形態における構成は、第１、２実施形態と同様であり、図４および図７に示したフローチャートを図９に示すフローチャートに置き換え、図５および図８に示したタイミングチャートを図１０に示すタイミングチャートに置き換え、図６に示した可動ミラー２０１およびシャッタ２１３の構造を図１１に示すシャッタに置き換える以外は同様であるので、相違点を中心に説明する。
【０１３５】
図９に示す本実施形態における撮影動作のフローにおいて、第２実施形態における図７に示すフローと同様の処理を行うステップについては同一の符号を付し詳しい説明は省略する。レリーズ釦が全押しされ露光動作に入ると（＃６１→Ｙ）、ライブビュー表示モードか否かの判定を行い（＃６５）、この判定の結果、ライブビュー表示モードではない場合、すなわち、光学ファインダ表示モードの場合には（タイミングｔ３１）、絞り込みを開始する（＃６７）。絞り込み速度は、縦横位置またはアスペクト比で決まるトリミング領域の露光範囲において露光が開始する前に終了するように速度を設定しておく。続いて、可動ミラー２０１の退避方向への駆動を開始する（＃６９）。
【０１３６】
可動ミラー２０１の駆動を開始すると、次に、シャッタ先幕待ち時間が終了したか否かの判定を行う（＃７２）。第１および第２実施形態においては、ステップ＃７１、＃７１Ａにおいて、ミラー退避位置Ｍ２またはミラー退避位置Ｍ３であるか否かを判定していたが、本実施形態においては、可動ミラー２０１が退避方向に駆動開始してからの時間が、シャッタ先幕待ち時間が経過したか否かを判定している。シャッタ先幕２１３ａは下から上に走行し、可動ミラー２０１と同じ方向に走行するので、ミラー退避開始後、直ちにシャッタ先幕２１３ａの走行を開始しても良い。可動ミラー２０１の退避速度に比較しシャッタ先幕２１３ａの走行速度が速い場合には、ステップ＃７２においてシャッタ先幕時間待ち時間を設け、可動ミラー２０１の退避速度が速い場合にはステップ＃７２における待ち時間は０で良い。
【０１３７】
ステップ＃７２における判定の結果、待ち時間が終了すると（＃７２→Ｙ、タイミングｔ３２）、シャッタ先幕２１３ａの走行を開始させる（＃７３）。シャッタ先幕２１３ａが走行を開始すると、次に、第１および第２実施形態と同様に、ミラー退避位置Ｍ１に達したか否かの判定（＃７５）を行い、達していない場合には露光時間が終了したか否かの判定（＃７９）を行う。露光時間が終了していなかった場合には、次に、第２実施形態と同様に、ミラー復帰待ち時間が経過した否かの判定を行う（＃８２）。このミラー復帰待ち時間は、図１０において、シャッタ後幕２１３ｂが走行を開始した時点タイミングｔ３３からタイミングｔ３５までの時間である。なお、このミラー復帰待ち時間の計時開始のタイミングはシャッタ後幕２１３ｂの走行開始時に限らず、他のタイミングでも構わない。
【０１３８】
ステップ＃８２における判定の結果、ミラー復帰待ち時間が経過していない場合には、次に、第１および第２実施形態と同様に、シャッタ後幕閉位置Ｓ２に達しているか否かを判定し（＃８５）、達していなかった場合には、ステップ＃７５に戻る。ステップ＃７５における判定の結果、ミラー退避位置Ｍ１に達していた場合は（＃７５→Ｙ、タイミングｔ３４）、可動ミラー２０１の駆動を停止し（＃７７）、ステップ＃７９に進む。
【０１３９】
ステップ＃７９における判定の結果、露光時間が終了していた場合には（＃７９→Ｙ、タイミングｔ３３）、シャッタ後幕２１３ｂの走行を開始させ（＃８１）、ステップ＃８２に進む。ステップ＃８２における判定の結果、ミラー復帰待ち時間が経過した場合には（＃８２→Ｙ、タイミングｔ３５）、ライブビュー表示モードか否かの判定を行う（＃８３）。この判定の結果、ライブビュー表示モードでなければ、ミラー位置復帰動作を開始させる（＃８４）。このミラー復帰動作中は、シャッタ後幕２１３ｂが下から上に走行中であり、後幕走行方向と、可動ミラー２０１の移動方向が異なるため、可動ミラー２０１がミラー退避位置Ｍ２に到達する前にシャッタ後幕２１３ｂは、シャッタ後幕閉位置Ｓ２に到達していなければならない。したがって、図１０において期間Ｅは０以上でなければならない。ミラー位置復帰動作を開始すると、ステップ＃８５に進む。
【０１４０】
ステップ＃８５における判定の結果、シャッタ後幕閉位置Ｓ２に達していた場合には、絞り１０３を開放し（＃８７）、画像読み出し（＃８９）を行う。続いて、ライブビュー表示モードか否かの判定を行い、ライブビュー表示モードであった場合には、シャッタ２１３の開放を行う（＃９５）。ステップ＃９１における判定の結果、ライブビュー表示モードでなかった場合、またはステップ＃９５のシャッタ開放を行うと、次に、画像処理を行い（＃９７）、画像を記録し（＃９９）、元のフローに戻る。
【０１４１】
このように、本実施形態においては、ステップ＃７２および＃７３においてシャッタ先幕２１３ａの走行開始のタイミングを、縦横位置やアスペクト比によって決まるトリミング領域の画像データ出力領域と可動ミラー２０１の状態に応じて制御している。また、画像データ出力領域とシャッタ２１３の状態に応じて、可動ミラー２０１の駆動タイミングを制御している。このため、縦長や横長の切り換えや、アスペクト比を切り換えた場合に、撮影シーケンスの短縮することができる。特に第３実施形態においては、先幕２１３ａの走行方向と可動ミラー２０１の退避移動方向を同じ方向としていることから、ほぼ同時期から駆動を開始することでシャッタ先幕待ち時間を短縮することができ、第２実施形態よりもさらに撮影シーケンスを短縮することができる。この結果、図１０において期間Ａおよび期間Ｂの分、さらにシャッタ先幕時間を短縮することができる。
【０１４２】
また、本実施形態においても、シャッタ後幕２１３ｂの走行開始後、可動ミラー２０１の復帰駆動等にあたって、シャッタ後幕２１３ｂの走行完了を待たず行っている（＃８２、＃８４）。特に第３実施形態においては、第２実施形態と同様、可動ミラー２０１の復帰動作をミラー復帰待ち時間が終了した時点で行っていることから、第１実施形態よりもさらに撮影シーケンスを短縮することができる。この結果、図１０において期間Ｃおよび期間Ｄ−Ｅの分を短縮することができる。
【０１４３】
なお、ステップ＃７２において、シャッタ先幕待ち時間が終了しているか否かの判定にあたって、可動ミラー２０１の駆動開始からの時間を計時して判定していた。しかし、これに限らず、例えば、ミラー位置検出センサ２４０の検出結果に基づいて判定するようにしても勿論かまわない。また、ステップ＃８２において、ミラー復帰待ち時間が経過したか否かをシャッタ後幕２１３ｂの走行開始からの計時時間で判定していたが、これに限らず、例えば、シャッタ幕位置検出センサ２３５による検出結果に基づいて判定しても良い。さらに、ステップ＃８５において、シャッタ後幕２１３ｂがシャッタ閉位置Ｓ２に達しているか否かの判定にあたって、シャッタ幕位置検出センサ２３５における検出結果に基づいて判定した。しかし、これに限らず、例えば、シャッタ後幕２１３ｂが走行開始してからの時間を計時し、これに基づいて判定するようにしても勿論かまわない。
【０１４４】
次に、本発明の第４実施形態について、図１２ないし図１４を用いて説明する。第１実施形態ないし第３実施形態においては、シャッタ２１３はフォーカルプレーンシャッタであったが、第４実施形態においては、シャッタ１０４は、レンズシャッタタイプを使用している。
【０１４５】
第４実施形態における構成は、フォーカルプレーンシャッタ２１３に代えてレンズシャッタ１０４を撮影光学系１０１中に設け、レンズＣＰＵ１１１はレンズシャッタ１０４を制御すべく接続されている以外は第１ないし第３実施形態と同様であり、図４、図７および図９に示したフローチャートを図１２に示すフローチャートに置き換え、図５、図８および図１０に示したタイミングチャートを図１３に示すタイミングチャートに置き換え、図６および図１１に示した可動ミラー２０１およびシャッタ２１３の構造を図１３に示すレンズシャッタおよび可動ミラー２０１に置き換える以外は同様であるので、相違点を中心に説明する。
【０１４６】
図１２に示す本実施形態における撮影動作のフローにおいて、第２実施形態における図７に示すフローと同様の処理を行うステップについては同一の符号を付し詳しい説明は省略する。
【０１４７】
図１２に示す撮影動作のフローに入り、レリーズ釦が全押しされ露光動作に入ると（＃６１→Ｙ）、ライブビュー表示か否かの判定を行い（＃６５）、この判定の結果、ライブビュー表示ではない場合、すなわち、光学ファインダ表示の場合には（タイミングｔ４１）、絞り込みを開始し（＃６７）、可動ミラー２０１の退避方向に駆動を開始する（＃６９）。ステップ＃６７における絞り込みにあたっては、レンズＣＰＵ１１１に絞り込み指示信号を送信し、縦横位置やアスペクト比で定まる露光範囲での露光が開始する前までに終了するように絞り込み速度を設定しておく。
【０１４８】
可動ミラー２０１の駆動を開始すると、次に、ミラー位置検出センサ２４０の検出結果に基づいて可動ミラー２０１がミラー退避位置Ｍ２に達したか否かの判定を行う（＃７１）。この判定の結果、ミラー退避位置Ｍ２に達すると（＃７１→Ｙ、タイミングｔ４２）、シャッタの開動作を開始させる（＃７３Ａ）。すなわち、レンズＣＰＵ１１１に対してレンズシャッタ１０４の開動作を指示する。
【０１４９】
レンズシャッタ１０４が開動作を開始すると、次に、第１ないし第３実施形態と同様に、ミラー退避位置Ｍ１に達したか否かの判定（＃７５）を行い、達していなかった場合には、続いて、シャッタ閉待ち時間が終了したか否かの判定（＃７９Ａ）を行う。このシャッタ閉待ち時間は、シャッタ開動作開始から、ステップ＃５５または＃５９における露出量演算で求めたシャッタ速度若しくは手動設定されたシャッタ速度を考慮した時間である。
【０１５０】
シャッタ閉待ち時間が終了していなかった場合には、次に、ミラー復帰待ち時間が経過した否かの判定を行う（＃８２）。このミラー復帰待ち時間は、図１３において、レンズシャッタ１０４が閉動作を開始するタイミングｔ４４からタイミングｔ４５までの期間である。レンズシャッタ１０４の閉動作が完了する時点で、可動ミラー２０１がミラー退避位置Ｍ２に達するように、ミラー復帰待ち時間を設定する。なお、このミラー復帰待ち時間は、本実施形態においては、シャッタ１０４の閉動作開始から計時しているが、これに限らず、シャッタ１０４の開動作開始など他のタイミングから計時するようにしても良い。
【０１５１】
ステップ＃８２における判定の結果、ミラー復帰待ち時間が経過していない場合には、次に、シャッタ閉動作が完了しているか否かを判定し（＃８５Ａ）、完了していなかった場合には、ステップ＃７５に戻る。なお、レンズシャッタ１０４のシャッタ閉動作完了検出用のセンサを交換レンズ１００内に設け、レンズＣＰＵ１１１がこの検出結果をボディＣＰＵ２５１に送信する。ステップ＃７５における判定の結果、ミラー退避位置Ｍ１に達していた場合は（＃７５→Ｙ、タイミングｔ４３）、可動ミラー２０１の駆動を停止し（＃７７）、ステップ＃７９Ａに進む。
【０１５２】
ステップ＃７９Ａにおける判定の結果、露光時間が終了していた場合には（＃７９Ａ→Ｙ、タイミングｔ４４）、レンズシャッタ１０４の閉動作を開始させ（＃８１Ａ）、ステップ＃８２に進む。ステップ＃８２における判定の結果、ミラー復帰待ち時間が経過した場合には（＃８２→Ｙ、タイミングｔ４５）、ライブビュー表示モードか否かの判定を行う（＃８３）。この判定の結果、ライブビュー表示モードでなければ、ミラー位置復帰動作を開始させ（＃８４）、ステップ＃８５Ａに進む。ミラー位置復帰動作では、ミラー退避位置Ｍ１にある可動ミラー２０１をミラー復帰位置Ｍｒに移動させる。
【０１５３】
ステップ＃６５における判定の結果、ライブビュー表示モードであった場合には、シャッタの閉動作を行う（＃１０１）。露光動作を行うために、レンズシャッタ１０４のシャッタチャージを行う必要があり、そこで、一旦シャッタを閉じ状態にする。このステップでは、ボディＣＰＵ２５１はレンズＣＰＵ１１１に対して、レンズシャッタ１０４の閉動作を指示する。続いて、絞り１０３の絞り込み動作を開始し（＃１０３）、レンズシャッタ１０４のシャッタ開動作を開始する（＃１０５Ａ）。続いて、ステップ＃７９Ａと同様に、シャッタ閉待ち時間が経過したか否かの判定を行う（＃１０７Ａ）。この判定の結果、待ち時間が経過していなかった場合には、ステップ＃８５Ａと同様に、シャッタ閉動作が完了したかを判定し（＃１１１Ａ）、この判定の結果、完了していなかった場合には、ステップ＃１０７Ａに戻る。ステップ＃１０７Ａにおける判定の結果、シャッタ閉待ち時間が経過した場合には、レンズシャッタ１０４の閉動作を実行し（＃１０９Ａ）、ステップ＃１１１Ａに進む。
【０１５４】
ステップ＃８５Ａまたはステップ＃１１１Ａにおける判定の結果、シャッタ閉動作が完了していた場合には、絞り１０３を開放し（＃８７）、画像読み出し（＃８９）を行う。続いて、ライブビュー表示モードか否かの判定を行い、ライブビュー表示モードであった場合には、レンズシャッタ１０４の開放を行う（＃９５）。ステップ＃９１における判定の結果、ライブビュー表示モードでなかった場合、またはステップ＃９５のシャッタ開放を行うと、次に、画像処理を行い（＃９７）、画像を記録し（＃９９）、元のフローに戻る。
【０１５５】
以上説明したように、本発明の各実施形態においては、縦横位置やアスペクト比等によって設定されるトリミング領域に応じた画像データ出力領域と可動ミラーの状態とに応じて、シャッタ制御部の駆動タイミングを制御するようにしている。このため、縦長や横長の切り換えや、アスペクト比を切り換えた場合に、撮影シーケンスの短縮を可能としている。
【０１５６】
また、本発明の各実施形態においては、縦横位置やアスペクト比等によって設定されるトリミング領域に応じた画像データ出力領域とシャッタの状態とに応じて、可動ミラーの駆動タイミングを制御している。このため、縦長や横長の切り換えや、アスペクト比を切り換えた場合に、撮影シーケンスの短縮を可能としている。
【０１５７】
なお、本発明の実施形態においては、光学ファインダとライブビュー表示の両方の表示部を有していたが、いずれか一方でもよく、例えば、光学ファインダのみでもよく、逆にライブビュー表示のみでも良い。
【０１５８】
また、本発明の実施形態においては、縦横位置やアスペクト比によって決まる画像データ出力領域の画像データは、前処理回路２２５や画像処理回路２５７によって、撮像素子駆動回路２２３から出力される画像データの中から選択していた。しかし、これに限らず、例えば、撮像素子２２１から読み出す際に、縦横位置やアスペクト比によって決まる範囲についてのみ、画像データを読み出すようにしても良い。
【０１５９】
さらに、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）等に内蔵されるカメラでも構わない。
【０１６０】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１６１】
１００・・・交換レンズ、１０１・・・撮影光学系、１０３・・・絞り、１０４・・・レンズシャッタ、１０５・・・ピント位置検出機構、１０６・・・ズーム位置検出機構、１０７・・・光学系駆動機構、１０９・・・絞り駆動機構、１１１・・・レンズＣＰＵ、１１３・・・レンズＲＯＭ、１１５・・・レンズＲＡＭ、１２０・・・イメージサークル、２００・・・カメラ本体、２０１・・・可動ミラー、２０３・・・サブミラー、２０４・・・スクリーン、２０５・・・全面ＬＣＤ、２０６・・・ファインダ内表示装置、２０７・・・ペンタプリズム、２０９・・・接眼レンズ、２１１・・・測光素子、２１２・・・測光処理回路、２１３・・・シャッタ、２１３ａ・・・シャッタ先幕、２１３ｂ・・・シャッタ後幕、２１５・・・防塵フィルタ、２１７・・・ローパスフィルタ、２２１・・・撮像素子、２２３・・・撮像素子駆動回路、２２５・・・前処理回路、２２７・・・傾きセンサ、２２８・・・傾き検知回路、２２９・・・手ブレセンサ、２３０・・・手ブレ補正回路、２３１・・・シフト機構駆動回路、２３３・・・シフト機構、２３５・・・防塵フィルタ駆動回路、２３６・・・シャッタ幕位置検出センサ、２３７・・・シャッタ駆動機構、２３９・・・ミラー駆動機構、２４０・・・ミラー位置検出センサ、２４１・・・位相差ＡＦセンサ、２４３・・・位相差ＡＦ処理回路、２４４・・・光源センサ、２４５・・・光源処理回路、２４６・・・照度センサ、２４７・・・照度処理回路、２４８・・・リモコン受信センサ、２４９・・・リモコン受信処理回路、２５０・・・ＡＳＩＣ、２５１・・・ボディＣＰＵ、２５２・・・バス、２５３・・・コントラストＡＦ回路、２５５・・・ＡＥ回路、２５７・・・画像処理回路、２５９・・・圧縮伸張回路、２６１・・・ビデオ信号出力回路、２６３・・・ＬＣＤ駆動回路、２６５・・・ＬＣＤ向き検知回路、２６８・・・スイッチ検知回路、２６９・・・各種スイッチ、２７１・・・入出力回路、２７３・・・通信回路、２７５・・・フラッシュメモリ制御回路、２７７・・・フラッシュメモリ、２７９・・・ＳＤＲＡＭ制御回路、２８１・・・ＳＤＲＡＭ、２８３・・・記録媒体制御回路、２８５・・・記録媒体Ａ、２８７・・・記録媒体Ｂ、２８９・・・ダイアル検知回路、２９１・・・電源供給回路、２９２・・・バッテリ、２９３・・・外部電源、２９５・・・ファインダ内表示駆動回路、２９７・・・コントロールパネル駆動回路、３０１・・・充電回路、３０３・・・フラッシュ発光回路、３０５・・・発光管、３１０・・・外部フラッシュ、３１０ａ・・・接点、３１０ｂ・・・接点、３１１・・・フラッシュＣＰＵ、３１３・・・充電回路、３１５・・・フラッシュ発光回路、３１７・・・発光管、３１８・・・反射笠、３１９・・・ズーム駆動回路、３２０・・・外部機器（ＰＣ）、３２０ａ・・・接点、３２１・・・機器ＣＰＵ、３３０・・・外部表示装置（ＴＶ）、３３０ａ・・・接点、３３１・・・表示装置駆動回路、３３３・・・表示装置、３４１・・・通信接点
【図１】
2010177989.tif 000003
【図２】
2010177989.tif 000004
【図３】
2010177989.tif 000005
【図４】
2010177989.tif 000006
【図５】
2010177989.tif 000007
【図６】
2010177989.tif 000008
【図７】
2010177989.tif 000009
【図８】
2010177989.tif 000010
【図９】
2010177989.tif 000011
【図１０】
2010177989.tif 000012
【図１１】
2010177989.tif 000013
【図１２】
2010177989.tif 000014
【図１３】
2010177989.tif 000015
【図１４】
2010177989.tif 000016
【図１５】
2010177989.tif 000017
【図１６】
2010177989.tif 000018